(57)【要約】      （修正有）【課題】バネ部材が容易に交換することができるとともに、部品点数を削減しつつ、バネ部材とテンプルとの連結が緩む虞のない眼鏡のテンプル連結構造を提供する。【解決手段】眼鏡のテンプル連結構造１は、フロントフレーム３両側部にそれぞれ形成されたヨロイ４と、一端がヨロイ４に揺動自在に固定される弾性体により形成されたバネ部材６と、テンプル５の基端部１５に形成され、バネ部材６の他端が挿入されて嵌着される溝を有する嵌着部１６とを備え、バネ部材６は、ヨロイ４に固定された軸部８に外嵌する回動部１０と、回動部１０から延びて形成される少なくとも1以上の湾曲部を有する連結部１２と、連結部１２の先端から延びて、圧縮及び伸長可能に波状に形成されており、基端側が嵌着部１６に挿入されて圧縮された状態で先端が嵌着部１６に形成された係止部２２に係止されて固定される固定部１３とを備える。【選択図】図１
2012053102.tif 000002
【特許請求の範囲】
【請求項１】
２つのレンズがはめ込まれるレンズ嵌め込み部を有するとともに両端部にそれぞれヨロイを形成したフロントフレームと、一端が前記ヨロイに揺動自在に固定される弾性体により形成されたバネ部材と、該バネ部材の他端が挿入されて嵌着される溝を有する嵌着部を基端部に有するテンプルと、を備えた眼鏡におけるテンプル連結構造であって、
前記バネ部材は、ヨロイに固定された軸部に外嵌する回動部と、該回動部から延びて形成される少なくとも１以上の湾曲部を有し、前記テンプルを開いた状態で当該テンプルに前記フロントフレームから離反する方向に回動する力が作用した場合に前記テンプルを内側方向に付勢する連結部と、該連結部と連結されて長手方向に圧縮及び伸長可能に波状に形成されており、その基端側が前記嵌着部に挿入されて圧縮された状態でその先端が前記嵌着部に形成された係止部に係止されて固定される伸縮固定部とを備えることを特徴とする眼鏡のテンプル連結構造。
【請求項２】
前記連結部が前記回動部を前記テンプルの基端部から離反する方向に付勢した状態で、当該回動部に形成された突出片が前記嵌着部に形成された引掛部に掛止されることを特徴とする請求項１に記載の眼鏡のテンプル連結構造。
【請求項３】
少なくとも２以上の前記バネ部材を備えることを特徴とする請求項１又は請求項２に記載の眼鏡のテンプル連結構造。
【請求項４】
請求項１から請求項３のいずれかに記載の眼鏡のテンプル連結構造を用いたことを特徴とする眼鏡フレーム。
【発明の詳細な説明】
【技術分野】
【０００１】
本発明は、眼鏡のテンプル連結構造及び眼鏡フレームに関し、詳しくは、板バネを用いた眼鏡のテンプル連結構造及び眼鏡フレームに関する。
【背景技術】
【０００２】
従来より、眼鏡の装着時のフィット感を高めるために、ヨロイとテンプルを連結する蝶番にバネ等の弾性体を組み込み、テンプルを開いたときに弾性体の弾性力によって、装着者の顔側面から頭部にかけてテンプルをフィットさせるバネ蝶番を利用したテンプル連結構造がある（例えば特許文献１）。特に近年では、製造及び修理をより簡単なものとするために、弾性体として板バネを用いたテンプル連結構造が提案されている。板バネを用いたテンプル連結構造としては、例えば、図１０に示すように、ヨロイ１０１に板バネ１０２の一端が固定されるとともに、板バネ１０２の他端と前記テンプル１０３の端部とが回動可能に螺子１０４で連結されるテンプル連結構造１０５（例えば特許文献２）が挙げられる。
【０００３】
しかし、上述のような板バネを用いたテンプル連結構造１０５にあっては、眼鏡を装着していないときには、板バネ１０２が全く弾性変形していない状態であるので、少しの力で板バネ１０２が弾性変形し、テンプル１０３が不必要に揺れる問題がある。また、装着者に適度なフィット感を与えるためには、板バネ１０２がある程度ひずんで適切な応力を発生させる必要があり、板バネ１０２を大きくする必要がある。さらに、上述のような板バネ１０２を用いたテンプル連結構造１０５においては、板バネ１０２とヨロイ１０１との接合部分が溶接固定となっているため、容易に板バネ１０２を交換することができなかった。
【０００４】
そこで、本願の出願人は、図１１に示すように、ヨロイ２０１に板バネ２０２が回転可能にネジ固定されており、当該板バネ２０２にテンプル２０３の基端部がネジ固定される眼鏡のテンプル連結構造２００を提案している。この眼鏡のテンプル連結構造２００は、ヨロイ２０１端部には係合部２０４が形成されており、板バネ２０２には、この係合部に係合して回転可能に固定される基部２０６と、この基部２０６から延びてテンプル２０３の基端部に設けられた固定孔２０７に挿入される挿入部２０８と、この挿入部２０８の先端から折曲されて基部２０６方向に延びて、その先端でテンプル２０３の基端部に固定されるテンプル支持孔２０９が設けられた支持部２１０と、により構成されており、挿入部２０８及び支持部２１０が、互いに近接する方向に弾性変形した状態で、支持部２１０の先端が基部２０６に形成された突片２１１に掛止される眼鏡のテンプル連結構造２００を提案している（特許文献３）。
【０００５】
これによると、ヨロイ２０１とテンプル２０３とを連結している板バネ２０２が常に弾性変形した状態で保持されているので、少しの力では弾性変形せず不必要なテンプル２０３の揺れを防ぐことができ、また、装着者に適度なフィット感を与えることができる。さらに、板バネ２０２とヨロイ２０１との接合部分がネジ固定となっているため、容易に板バネ２０２を交換することができる。
【先行技術文献】
【特許文献】
【０００６】
【特許文献１】特開平５−２９７３２７号公報
【特許文献２】特開２００７−２０６３６１号公報
【特許文献３】特開２０１０−８５５９０号公報
【発明の概要】
【発明が解決しようとする課題】
【０００７】
しかし、上述の眼鏡のテンプル連結構造２００においては、バネ蝶番の軸となるヨロイ２０１と板バネ２０２との連結部分の他に、板バネ２０２とテンプル２０３との連結にもネジが用いられるので、部品点数が多くなりコストアップの要因となる。また、板バネ２０２とテンプル２０３との連結に用いられるネジが緩むと板バネ２０２とテンプル２０３との連結部分が揺動するため、眼鏡に不要な力が加わり故障の原因にもなりやすい。
【０００８】
そこで、本発明は、バネ蝶番に用いられるバネ部材が容易に交換することができるとともに、部品点数を削減しつつ、バネ部材とテンプルとの連結が緩む虞のない眼鏡のテンプル連結構造を提供することを目的とする。
【課題を解決するための手段】
【０００９】
上記目的を達成するために、請求項１に記載の眼鏡のテンプル連結構造は、２つのレンズがはめ込まれるレンズ嵌め込み部を有するとともに両端部にそれぞれヨロイを形成したフロントフレームと、一端が前記ヨロイに揺動自在に固定される弾性体により形成されたバネ部材と、該バネ部材の他端が挿入されて嵌着される溝を有する嵌着部を基端部に有するテンプルと、を備えた眼鏡におけるテンプル連結構造であって、前記バネ部材は、ヨロイに固定された軸部に外嵌する回動部と、該回動部から延びて形成される少なくとも１以上の湾曲部を有し、前記テンプルを開いた状態で当該テンプルに前記フロントフレームから離反する方向に回動する力が作用した場合に前記テンプルを内側方向に付勢する連結部と、該連結部と連結されて長手方向に圧縮及び伸長可能に波状に形成されており、その基端側が前記嵌着部に挿入されて圧縮された状態でその先端が前記嵌着部に形成された係止部に係止されて固定される伸縮固定部とを備えることを特徴としている。
【００１０】
また、請求項２に記載の眼鏡のテンプル連結構造は、前記連結部が前記回動部を前記テンプルの基端部から離反する方向に付勢した状態で、当該回動部に形成された突出片が前記嵌着部に形成された引掛部に掛止されることを特徴としている。
【００１１】
また、請求項３に記載の眼鏡のテンプル連結構造は、少なくとも２以上の前記バネ部材を備えることを特徴としている。
【００１２】
請求項４に記載のメガネフレームは、請求項１から請求項３のいずれかに記載の眼鏡のテンプル連結構造を用いたことを特徴としている。
【発明の効果】
【００１３】
請求項１に記載の眼鏡のテンプル連結構造によると、バネ部材の伸縮固定部の基端側がテンプルの基端部に形成された嵌着部に挿入されて圧縮された状態で先端がこの嵌着部に形成された係止部に係止されて固定されるので、バネ部材とテンプルとが他の部材を用いずに固定されることになり、部品点数を減らしてコストダウンを図ることができる。また、バネ部材を交換する際には、バネ部材を伸縮固定部がさらに圧縮される方向に引っ張って伸縮固定部を圧縮状態に塑性変形させることで、係止部から簡単に取り外して新たなバネ部材に交換することができる。また、このように、バネ部材とテンプルとがネジを用いずに固定されているので、バネ部材とテンプルとの連結が緩む虞がない。
【００１４】
請求項２に記載の眼鏡のテンプル連結構造によると、連結部が回動部をテンプルの基端部から離反する方向に付勢した状態で、回動部に形成された突出片が嵌着部に形成された引掛部に掛止されるので、連結部が弾性変形できる範囲が定まり、必要以上に弾性変形してバネ部材が故障することを抑制できる。また、連結部はテンプルの基端部側に常に弾性変形しているので、僅かな力ではさらに弾性変形することがなく、不必要なテンプルの揺れを防ぐことができ、また、装着者に適度なフィット感を与えることができる。
【００１５】
請求項３に記載の眼鏡のテンプル連結構造によると、少なくとも２以上のバネ部材を備えるので、ヨロイとテンプルとがより安定して連結されることになり、眼鏡の装着者に適切なフィット感を与えることができる。
【００１６】
請求項４に記載の眼鏡フレームによると、請求項１から請求項３のいずれかに記載の眼鏡のテンプル連結構造を用いるので、上述の効果を有する眼鏡フレームとすることができる。
【図面の簡単な説明】
【００１７】
【図１】本発明の眼鏡フレームを示す平面図及びａ部分拡大図。
【図２】本発明のバネ部材の構成を説明する斜視図。
【図３】本発明の嵌着部の構成を説明する斜視図。
【図４】本発明の嵌着部の構成を説明する平面図及びｂ−ｂ断面図。
【図５】バネ部材を嵌着部に固定する状態を説明する一部省略断面図。
【図６】嵌着部の下側の溝にバネ部材を取り付ける状態を示す斜視図であって、（Ａ）は伸縮固定部の先端を係止部に係止する前の状態を示し、（Ｂ）は伸縮固定部の先端を係止部に係止した後の状態を示す図。
【図７】本発明の眼鏡フレームにおいて、バネ部材が機能して装着者にフィット感を与える状態を説明する平面図及びｃ部分拡大図。
【図８】本発明の眼鏡フレームを閉じた状態を説明する平面図。
【図９】バネ部材を交換する際にヨロイとテンプルとを互いに離反する方向に引っ張った状態を説明する断面図。
【図１０】従来のテンプル連結構造を示す図。
【図１１】従来の眼鏡のテンプル連結構造を示す図。
【発明を実施するための形態】
【００１８】
以下、本発明に係る眼鏡のテンプル連結構造１及び当該テンプル連結構造１を有する眼鏡フレーム２の最良の実施形態について、各図を参照しつつ説明する。
【００１９】
眼鏡フレーム２は、図１に示すように、眼鏡の前面であるフロントフレーム３と、フロントフレーム３の両端にフロントフレーム３と一体に形成されるヨロイ４と、フロントフレーム３に折り畳み可能なテンプル５と、ヨロイ４にテンプル５を連結するバネ部材６と、を有する構成である。
【００２０】
フロントフレーム３は、例えばセルロイド、アセテート等の合成樹脂又はチタン等の金属により形成されている。また、フロントフレーム３には、図示しないが装着者の眼を保護し、又は視力を補正するのための２つのレンズが嵌め込まれるレンズ嵌め込み部２５を有している。このフロントフレーム３の両端には、ヨロイ４が当該フロントフレーム３と一体形成されている。そして、このヨロイ４の端部には、図１（Ｂ）に示すように、軸孔８を有する係合金具７がテンプル５側に突出するように形成されている。この係合金具７には、バネ部材６を連結した時にバネ部材６の回動を一方向に規制する規制片９が上下にそれぞれ形成されている。
【００２１】
バネ部材６は、板状のバネ鋼から所定形状に切り出した弾性体であって、図２に示すように、中央に貫通孔１１が形成された回動部１０と、この回動部１０から延びて形成され、２箇所で湾曲することによりその先端が回動部１０と反対側に延びる略Ｚ字状に形成された連結部１２と、この連結部１２の平坦で幅広のやじり形状に形成された先端１２ａから回動部１０方向に延びて、長手方向に圧縮及び伸長可能な波状に形成された伸縮固定部１３とを備えている。回動部１０はその側面に規制片９に当接する当接片１４、及びテンプル５の基端部１５に固定された嵌着部１６に形成されている引掛部１７に掛止される突出片１８が形成されている。
【００２２】
テンプル５は、図１に示すように、基端部１５と反対側の先端側に設けられた先セル１９を装着者の耳の上に掛けることで眼鏡を装着者に固定するものであり、チタンなどの金属で形成された長尺の軸芯の周りにアセテート等の合成樹脂で形成された枠が固定されている。このテンプル５のヨロイ４側となる基端部１５の内側面は、高さ方向に広がった平面部分１５ａを形成しており、この基端部１５の平面部分１５ａに上下に且つテンプル５の長手方向に２筋の溝２０がテンプル５と反対側に向かって開口して形成された金属製の嵌着部１６がロウ付けで固定されている。
【００２３】
この嵌着部１６は、図３及び図４に示すように、一方の面が開口するとともに、他方の面に２筋の溝２０が形成された中空の部材であって、開口する側の面に蓋をするようにテンプル５の基端部１５の平面部分１５ａを当接させてロウ付け固定している。この嵌着部１６のヨロイ４側となる面にはバネ部材６の突出片１８が掛止される引掛部１７が形成されているとともに、バネ部材６の伸縮固定部１３が挿通可能な挿通孔２１が２つ形成されている。そしてこの２つの挿通孔２１の間には図４（Ａ）に示すように内側面２２ａが窪んだ係止部２２が形成されており、伸縮固定部１３の先端１３ａがこの係止部２２に係止される。
【００２４】
このような眼鏡のテンプル連結構造１を組み立てるときには、まず図５に示すように、テンプル５の基端部１５の平面部分１５ａにロウ付け固定されている嵌着部１６に２枚のバネ部材６を固定する。具体的には、図５（Ａ）に矢印イで示すように、一枚のバネ部材６の伸縮固定部１３の先端１３ａを嵌着部１６の溝２０に挿入し、ある程度まで挿入すると次に、図５（Ｂ）に矢印ロで示すように、連結部１２の先端１２ａも溝２０に挿入する。そして図５（Ｃ）の矢印ハ及び図６（Ａ）に示すように、連結部１２の先端１２ａを最も奥まで挿入して嵌着部１６の最奥の壁部２３に当接させるとともに、テンプル５の基端部１５の内周面に形成された平面部分１５ａに当接させる。このとき先端１２ａが平坦で幅広のやじり形状をしているので、溝２０の最奥の壁部２３及びテンプル５基端部１５の平面部１５ａに挟まれて嵌合される。そして、回動部１０の突出片１８が嵌着部１６の引掛部１７に掛止されるように配置する。そして、図５（Ｄ）に示すように、伸縮固定部１３の先端１３ａを図示しないが例えば細長い棒状の工具で押し込んで伸縮固定部１３を圧縮された状態に弾性変形させ、図６（Ｂ）に示すように、当該伸縮固定部１３の先端１３ａを係止部２２側にずらして（矢印ニ方向）、嵌着部１６に形成された係止部２２の内側面２２ａに当接させて固定する。このとき伸縮固定部１３は長手方向に圧縮された状態で、連結部１２の先端１２ａ側の端部１３ｂが壁部２３に連結部１２の先端１２ａを介して当接し、他方、先端１３ａが係止部２２に当接するので、伸縮固定部１３がその復元力により壁部２３及び係止部２２を押圧することで、伸縮固定部１３の先端が係止部２２の内側へ窪んだ内側面２２ａに係止されて外れにくくなっている。このようにしてバネ部材６を嵌着部１６の一方の溝２０に挿入して固定すると、次に、もう一枚のバネ部材６も同様にして嵌着部１６の他方の空いている溝２０に挿入し固定する。
【００２５】
そして、図１（Ｂ）に示すように、ヨロイ４に形成されている係合金具７を２枚のバネ部材６の回動部１０で挟み込むように保持して、蝶番の軸となるネジ材２４を回動部１０の貫通孔１１及び係合金具７の軸孔８に挿通させて固定し、ヨロイ４に対してバネ部材６を回動自在に固定する。このとき、係合金具７の規制片９とバネ部材６の回動部１０に形成された当接片１４とが互いに当接してテンプル５が必要以上に開く方向に回転することを規制している。
【００２６】
以上のように形成された眼鏡のテンプル連結構造１を備えた眼鏡フレーム２を装着するときには、図７に示すように、バネ部材６の連結部１２が弾性変形してテンプル５が外側（矢印ホ方向）に広がるので、程よいフィット感で眼鏡フレーム２を装着することができる。また、眼鏡フレーム２を装着しないときには、図８に示すように、ネジ材２４を軸としてバネ部材６を回動させてテンプル５をフロントフレーム３側に閉じる。
【００２７】
以上のように、本実施形態の眼鏡のテンプル連結構造１は、バネ部材６とテンプル５との固定にネジを用いていず、バネ部材６自身の弾性変形を利用して固定しているので、部品点数を減らすことができ、又、ネジを用いないことでバネ部材６とテンプル５との連結部分が緩む虞がなく、常に適切なフィット感の眼鏡フレーム２とすることができる。
【００２８】
また、連結部１２を眼鏡の装着者の外側方向に弾性変形させた状態で突出片１８が嵌着部１６に形成された引掛部１７に掛止されるので、バネ部材６の連結部１２が弾性変形できる範囲が定まり、必要以上に弾性変形してバネ部材６が故障することを抑制できる。また、連結部１２は常に弾性変形しているので、僅かな力では弾性変形せず不必要なテンプル５の揺れを防ぐことができ、また、装着者に適度なフィット感を与えることができる。
【００２９】
なお、バネ部材６を交換する場合には、図９に示すようにヨロイ４とテンプル５とを互いに離反する方向に引っ張って（矢印ヘ、ト）、バネ部材６の伸縮固定部１３を弾性変形又は塑性変形させ、嵌着部１６の係止部２２の内側面２２ａから伸縮固定部１３の先端１３ａを外して、嵌着部１６からバネ部材６を取り外す。そして、係合金具７及びバネ部材６の回動部１０を連結しているネジ材２４を緩めて外し、バネ部材６を係合金具７からも取り外す。その後、新たなバネ部材６に交換し、再度バネ部材６を嵌着部１６に固定するとともに、係合金具７に固定してバネ部材６を交換する。このように、本実施形態の眼鏡のテンプル連結構造１は、バネ部材６を簡単に取り外して新たなバネ部材６に交換することができる。
【００３０】
本発明の実施の形態は上述の形態に限ることなく、本発明の思想の範囲を逸脱しない範囲で適宜変更することができる。
【００３１】
本実施形態においては、バネ部材６を２つ設けた構成としたが、これに限定されるものではなく、例えばバネ部材６を３以上とすることでより安定した眼鏡のテンプル連結構造１とすることもでき、バネ部材６を左右それぞれ１つとすることで、眼鏡フレーム２のデザイン性を向上させることもできる。
【産業上の利用可能性】
【００３２】
本発明は、装着者に適度なフィット感を与えることができるバネ蝶番を用いた眼鏡のヨロイ４とテンプル５とを連結する眼鏡のテンプル連結構造１及び眼鏡フレーム２に好適に用いることができる。
【符号の説明】
【００３３】
１    眼鏡のテンプル連結構造
２    眼鏡フレーム
３    フロントフレーム
４    ヨロイ
５    テンプル
６    バネ部材
１０  回動部
１２  連結部
１３  伸縮固定部
１６  嵌着部
１７  引掛部
１８  突出片
２０  溝
２２  係止部
２４  ネジ材（軸部）
【図１】
2012053102.tif 000003
【図２】
2012053102.tif 000004
【図３】
2012053102.tif 000005
【図４】
2012053102.tif 000006
【図５】
2012053102.tif 000007
【図６】
2012053102.tif 000008
【図７】
2012053102.tif 000009
【図８】
2012053102.tif 000010
【図９】
2012053102.tif 000011
【図１０】
2012053102.tif 000012
【図１１】
2012053102.tif 000013